【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
車両の走行経路の設定および誘導を行なうナビゲーション装置であって、
自車両の現在位置を取得する現在位置取得手段と、
自車両の目的地を取得する目的地取得手段と、
前記現在位置および目的地に基づいて、前記目的地が自車両の後方に位置するか否かを判定する位置関係判定手段と、
前記位置関係判定手段による判定の結果に基づいて前記誘導に用いる表示画面の内容を制御する表示制御手段と、
を備え、
前記表示制御手段は、自車両の進行方向を基準として、前記目的地が自車両に対して後方に位置する場合に、自車両前方に対応する表示範囲が、自車両後方に対応する表示範囲以下となるように前記表示画面上の自車両表示位置を表示可能であることを特徴とするナビゲーション装置。
【請求項２】
前記表示制御手段は、前記目的地が自車両の後方に位置する場合に、前記目的地を前記表示画面の上方に表示することを特徴とする請求項１に記載のナビゲーション装置。
【請求項３】
前記表示制御手段は、前記目的地が自車両の後方に位置する場合に、前記目的地の画面内への表示を抑止することを特徴とする請求項１に記載のナビゲーション装置。
【請求項４】
前記表示制御手段は、前記目的地が自車両の後方に位置する場合に、自車両のＵターンに適した縮尺を選択することを特徴とする請求項１または３に記載のナビゲーション装置。
【請求項５】
前記表示制御手段は、前記目的地が自車両の後方に位置する場合に、自車両の経路を示す表示画面と、自車両のＵターンを誘導する表示画面とを同時に表示することを特徴とする請求項１〜４のいずれか一つに記載のナビゲーション装置。
【請求項６】
前記目的地取得手段は、予め設定した、もしくは乗員によって入力された目的地に関する情報を取得することを特徴とする請求項１〜５のいずれか一つに記載のナビゲーション装置。
【請求項７】
前記目的地取得手段は、所定の通信先から目的地を指定する情報を受信することを特徴とする請求項１〜６のいずれか一つに記載のナビゲーション装置。
【請求項８】
車両の走行経路の設定および誘導を行なうナビゲーション装置であって、
自車両の現在位置を取得する現在位置取得手段と、
自車両の目的地を取得する目的地取得手段と、
前記現在位置および目的地に基づいて設定された走行経路と、自車両との位置関係を判定する位置関係判定手段と、
前記位置関係判定手段による判定の結果に基づいて前記誘導に用いる表示画面の内容を制御する表示制御手段と、
を備え、
前記表示制御手段は、自車両の進行方向を基準として、前記走行経路が自車両に対して後方に位置する場合に、自車両前方に対応する表示範囲が、自車両後方に対応する表示範囲以下となるように前記表示画面上の自車両表示位置を表示可能であることを特徴とするナビゲーション装置。
【手続補正２】
【補正対象書類名】明細書
【補正対象項目名】０００８
【補正方法】変更
【補正の内容】
【０００８】
上述した課題を解決し、目的を達成するため、請求項１の発明に係るナビゲーション装置は、車両の走行経路の設定および誘導を行なうナビゲーション装置であって、自車両の現在位置を取得する現在位置取得手段と、自車両の目的地を取得する目的地取得手段と、前記現在位置および目的地に基づいて、前記目的地が自車両の後方に位置するか否かを判定する位置関係判定手段と、前記位置関係判定手段による判定の結果に基づいて前記誘導に用いる表示画面の内容を制御する表示制御手段と、を備え、前記表示制御手段は、自車両の進行方向を基準として、前記目的地が自車両に対して後方に位置する場合に、自車両前方に対応する表示範囲が、自車両後方に対応する表示範囲以下となるように前記表示画面上の自車両表示位置を表示可能であることを特徴とする。
【手続補正３】
【補正対象書類名】明細書
【補正対象項目名】０００９
【補正方法】変更
【補正の内容】
【０００９】
この請求項１の発明によればナビゲーション装置は、自車両の現在位置を取得するとともに自車両の目的地を取得し、目的地が自車両の後方に位置するか否かを判定し、目的地が自車両に対して後方に位置する場合に、自車両前方に対応する表示範囲が、自車両後方に対応する表示範囲以下となるように表示画面上の自車両表示位置を表示可能とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、請求項２の発明に係るナビゲーション装置は、請求項１の発明において、前記表示制御手段は、前記目的地が自車両の後方に位置する場合に、前記目的地を前記表示画面の上方に表示することを特徴とする。
【手続補正７】
【補正対象書類名】明細書
【補正対象項目名】００１３
【補正方法】変更
【補正の内容】
【００１３】
この請求項２の発明によればナビゲーション装置は、目的地が自車両の後方に位置する場合に、前記目的地を前記表示画面の上方に表示する。
【手続補正８】
【補正対象書類名】明細書
【補正対象項目名】００１４
【補正方法】変更
【補正の内容】
【００１４】
また、請求項３の発明に係るナビゲーション装置は、請求項１の発明において、前記表示制御手段は、前記目的地が自車両の後方に位置する場合に、前記目的地の画面内への表示を抑止することを特徴とする。
【手続補正９】
【補正対象書類名】明細書
【補正対象項目名】００１５
【補正方法】変更
【補正の内容】
【００１５】
この請求項３の発明によればナビゲーション装置は、目的地が自車両の後方に位置する場合に、前記目的地の画面内への表示を抑止する。
【手続補正１０】
【補正対象書類名】明細書
【補正対象項目名】００１６
【補正方法】変更
【補正の内容】
【００１６】
また、請求項４の発明に係るナビゲーション装置は、請求項１または３の発明において、前記表示制御手段は、前記目的地が自車両の後方に位置する場合に、自車両のＵターンに適した縮尺を選択することを特徴とする。
【手続補正１１】
【補正対象書類名】明細書
【補正対象項目名】００１７
【補正方法】変更
【補正の内容】
【００１７】
この請求項４の発明によればナビゲーション装置は、目的地が自車両の後方に位置する場合に、自車両のＵターンに適した縮尺を選択する。
【手続補正１２】
【補正対象書類名】明細書
【補正対象項目名】００１８
【補正方法】変更
【補正の内容】
【００１８】
また、請求項５の発明に係るナビゲーション装置は、請求項１〜４のいずれか一つの発明において、前記表示制御手段は、前記目的地が自車両の後方に位置する場合に、自車両の経路を示す表示画面と、自車両のＵターンを誘導する表示画面とを同時に表示することを特徴とする。
【手続補正１３】
【補正対象書類名】明細書
【補正対象項目名】００１９
【補正方法】変更
【補正の内容】
【００１９】
この請求項５の発明によればナビゲーション装置は、目的地が自車両の後方に位置する場合に、自車両の経路を示す表示画面と、自車両のＵターンを誘導する表示画面とを同時に表示する。
【手続補正１４】
【補正対象書類名】明細書
【補正対象項目名】００２０
【補正方法】変更
【補正の内容】
【００２０】
また、請求項６の発明に係るナビゲーション装置は、請求項１〜５のいずれか一つの発明において、前記目的地取得手段は、予め設定した、もしくは乗員によって入力された目的地に関する情報を取得することを特徴とする。
【手続補正１５】
【補正対象書類名】明細書
【補正対象項目名】００２１
【補正方法】変更
【補正の内容】
【００２１】
この請求項６の発明によればナビゲーション装置は予め設定した、もしくは乗員によって入力された目的地を取得し、目的地が自車両の後方に位置するか否かを判定し、判定の結果に基づいて誘導に用いる表示画面の内容を制御する。
【手続補正１６】
【補正対象書類名】明細書
【補正対象項目名】００２２
【補正方法】変更
【補正の内容】
【００２２】
また、請求項７の発明に係るナビゲーション装置は、請求項１〜６のいずれか一つの発明において、前記目的地取得手段は、所定の通信先から目的地を指定する情報を受信することを特徴とする。
【手続補正１７】
【補正対象書類名】明細書
【補正対象項目名】００２３
【補正方法】変更
【補正の内容】
【００２３】
この請求項７の発明によればナビゲーション装置は、所定の通信先から目的地を指定する情報を受信し、目的地が自車両の後方に位置するか否かを判定し、判定の結果に基づいて誘導に用いる表示画面の内容を制御する。
【手続補正１８】
【補正対象書類名】明細書
【補正対象項目名】００２４
【補正方法】変更
【補正の内容】
【００２４】
また、請求項８の発明に係るナビゲーション装置は、車両の走行経路の設定および誘導を行なうナビゲーション装置であって、自車両の現在位置を取得する現在位置取得手段と、自車両の目的地を取得する目的地取得手段と、前記現在位置および目的地に基づいて設定された走行経路と、自車両との位置関係を判定する位置関係判定手段と、前記位置関係判定手段による判定の結果に基づいて前記誘導に用いる表示画面の内容を制御する表示制御手段と、を備え、前記表示制御手段は、自車両の進行方向を基準として、前記走行経路が自車両に対して後方に位置する場合に、自車両前方に対応する表示範囲が、自車両後方に対応する表示範囲以下となるように前記表示画面上の自車両表示位置を表示可能であることを特徴とする。
【手続補正１９】
【補正対象書類名】明細書
【補正対象項目名】００２５
【補正方法】変更
【補正の内容】
【００２５】
この請求項８の発明によればナビゲーション装置は、自車両の現在位置を取得するとともに自車両の目的地を取得して走行経路を設定し、走行経路と自車両との位置関係を判定し、走行経路が自車両に対して後方に位置する場合に、自車両前方に対応する表示範囲が、自車両後方に対応する表示範囲以下となるように表示画面上の自車両表示位置を表示可能とする。
【手続補正２０】
【補正対象書類名】明細書
【補正対象項目名】００２６
【補正方法】変更
【補正の内容】
【００２６】
請求項１の発明によればナビゲーション装置は、自車両の現在位置を取得するとともに自車両の目的地を取得し、目的地が自車両の後方に位置するか否かを判定し、目的地が自車両に対して後方に位置する場合に、自車両前方に対応する表示範囲が、自車両後方に対応する表示範囲以下となるように表示画面上の自車両表示位置を表示可能とするので、目的地が自車両の現在位置に対して後方となった場合の案内表示の見易さを向上したナビゲーション装置を得ることができるという効果を奏する。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
また、請求項２の発明によればナビゲーション装置は、目的地が自車両の後方に位置する場合に、前記目的地を前記表示画面の上方に表示するので、目的地が自車両の現在位置に対して後方となった場合であっても経路の表示領域を確保し、案内表示の見易さを向上したナビゲーション装置を得ることができるという効果を奏する。
【手続補正２３】
【補正対象書類名】明細書
【補正対象項目名】００２９
【補正方法】変更
【補正の内容】
【００２９】
また、請求項３の発明によればナビゲーション装置は、目的地が自車両の後方に位置する場合に、前記目的地の画面内への表示を抑止するので、目的地が自車両の現在位置に対して後方となった場合にはＵターンを支援するナビゲーション装置を得ることができるという効果を奏する。
【手続補正２４】
【補正対象書類名】明細書
【補正対象項目名】００３０
【補正方法】変更
【補正の内容】
【００３０】
また、請求項４の発明によればナビゲーション装置は、目的地が自車両の後方に位置する場合に、自車両のＵターンに適した縮尺を選択するので、目的地が自車両の現在位置に対して後方となった場合には、Ｕターンを効率的に支援するナビゲーション装置を得ることができるという効果を奏する。
【手続補正２５】
【補正対象書類名】明細書
【補正対象項目名】００３１
【補正方法】変更
【補正の内容】
【００３１】
また、請求項５の発明によればナビゲーション装置は、目的地が自車両の後方に位置する場合に、自車両の経路を示す表示画面と、自車両のＵターンを誘導する表示画面とを同時に表示するので、目的地が自車両の現在位置に対して後方となった場合の案内表示の見易さを向上するとともに、Ｕターンを支援可能なナビゲーション装置を得ることができるという効果を奏する。
【手続補正２６】
【補正対象書類名】明細書
【補正対象項目名】００３２
【補正方法】変更
【補正の内容】
【００３２】
また、請求項６の発明によればナビゲーション装置は予め設定した、もしくは乗員によって入力された目的地を取得し、目的地が自車両の後方に位置するか否かを判定し、判定の結果に基づいて誘導に用いる表示画面の内容を制御するので、走行中に、目的地が自車両の現在位置に対して後方となった場合の案内表示の見易さを向上したナビゲーション装置を得ることができるという効果を奏する。
【手続補正２７】
【補正対象書類名】明細書
【補正対象項目名】００３３
【補正方法】変更
【補正の内容】
【００３３】
また、請求項７の発明によればナビゲーション装置は、所定の通信先から目的地を指定する情報を受信し、目的地が自車両の後方に位置するか否かを判定し、判定の結果に基づいて誘導に用いる表示画面の内容を制御するので、配車指示された目的地が自車両の現在位置に対して後方となった場合の案内表示の見易さを向上したナビゲーション装置を得ることができるという効果を奏する。
【手続補正２８】
【補正対象書類名】明細書
【補正対象項目名】００３４
【補正方法】変更
【補正の内容】
【００３４】
また、請求項８の発明によればナビゲーション装置は、自車両の現在位置を取得するとともに自車両の目的地を取得して走行経路を設定し、走行経路と自車両との位置関係を判定し、走行経路が自車両に対して後方に位置する場合に、自車両前方に対応する表示範囲が、自車両後方に対応する表示範囲以下となるように表示画面上の自車両表示位置を表示可能とするので、自車両の現在位置に対して後方に走行経路が存在する場合の案内表示の見易さを向上したナビゲーション装置を得ることができるという効果を奏する。